(57)【要約】ＰＴサービスシステム及び方法に関し、一実施形態によると、発言権を要求するために発言要求メッセージを送信するＰＴクライアントを含み、前記発言要求メッセージは、前記発言要求メッセージ送信に関する時間情報を含むタイムスタンプを有する。本発明は、発言権を要求するために、発言要求メッセージ送信に関する時間情報を含むタイムスタンプを有する前記発言要求メッセージを送信するＰＴクライアントを含むことを特徴とするクライアント装置を提供する。
2008507889.tif 000002
【特許請求の範囲】
【請求項１】
発言権（permission  to  send  a  talk  burst）を要求するために、発言要求メッセージ(talk  burst  request  message)送信に関する時間情報を含むタイムスタンプを有する前記発言要求メッセージを送信するＰＴクライアントを含むことを特徴とするクライアント装置。
【請求項２】
前記タイムスタンプ内の前記時間情報は、前記発言要求メッセージのユーザ要求時間を識別することを特徴とする請求項１に記載のクライアント装置。
【請求項３】
前記ＰＴクライアントは、前記発言要求メッセージに対する応答としてＰＴサーバから発言承認メッセージを受信し、前記発言承認メッセージを受信すると、前記発言を行うことを特徴とする請求項１に記載のクライアント装置。
【請求項４】
前記ＰＴクライアントが前記発言要求メッセージを送信した後、所定時間間隔内に応答メッセージを受信できない場合、前記ＰＴクライアントは、タイムスタンプを有する発言要求メッセージを再送信することを特徴とする請求項１に記載のクライアント装置。
【請求項５】
前記再送信された発言要求メッセージの前記タイムスタンプは、最初の発言要求メッセージの前記タイムスタンプと同一であることを特徴とする請求項４に記載のクライアント装置。
【請求項６】
前記応答メッセージは、発言要求キュー状態応答メッセージであることを特徴とする請求項４に記載のクライアント装置。
【請求項７】
前記タイムスタンプ値は、発言要求キューにおいて前記発言要求メッセージの位置を決定するために使用されることを特徴とする請求項１に記載のクライアント装置。
【請求項８】
前記ＰＴクライアントの前記発言要求メッセージが前記発言要求キューの先頭に置かれる場合、前記ＰＴクライアントが前記発言権を有することを特徴とする請求項７に記載のクライアント装置。
【請求項９】
前記発言は、ビデオ、画像、信号、又はデータの伝送を含むことを特徴とする請求項１に記載のクライアント装置。
【請求項１０】
前記発言は、音声データの伝送を含むことを特徴とする請求項１に記載のクライアント装置。
【請求項１１】
ＰＴクライアントが応答メッセージを受信するまで、発言権を要求する発言要求メッセージの送信を繰り返すＰＴクライアントを含み、
前記繰り返し送信された発言要求メッセージは、前記発言メッセージが最初に送信された時間を示すタイムスタンプ値を有することを特徴とするクライアント装置。
【請求項１２】
前記応答メッセージは、発言要求キュー状態応答メッセージであることを特徴とする請求項１１に記載のクライアント装置。
【請求項１３】
前記タイムスタンプ値は、発言要求キューにおいて前記発言要求メッセージの位置を決定するために使用されることを特徴とする請求項１１に記載のクライアント装置。
【請求項１４】
前記ＰＴクライアントの前記発言要求メッセージが前記発言要求キューの先頭に置かれる場合、前記ＰＴクライアントが発言権を有することを特徴とする請求項１３に記載のクライアント装置。
【請求項１５】
前記発言は、ビデオ、画像、信号、又はデータの伝送を含むことを特徴とする請求項１１に記載のクライアント装置。
【請求項１６】
前記発言は、音声データの伝送を含むことを特徴とする請求項１１に記載のクライアント装置。
【請求項１７】
それぞれ発言権を要求する少なくとも１つの発言要求メッセージを受信して処理するＰＴサーバを含み、
前記少なくとも１つの発言要求メッセージは、それぞれ前記該当発言要求メッセージの送信に関する時間情報を含むタイムスタンプを有することを特徴とするサーバシステム。
【請求項１８】
前記タイムスタンプ内の前記時間情報は、前記該当発言要求メッセージのユーザ要求時間を識別することを特徴とする請求項１７に記載のサーバシステム。
【請求項１９】
前記ＰＴサーバは、異なる複数のＰＴクライアントからそれぞれ複数の発言要求メッセージを受信し、前記受信された発言要求メッセージ内の前記タイムスタンプ値に応じて前記受信された発言要求メッセージの要求をキューに置くことを特徴とする請求項１７に記載のサーバシステム。
【請求項２０】
前記ＰＴサーバが、前記キューにおける前記ＰＴクライアントの要求の位置による特定の順序で前記ＰＴクライアントに発言権を与えることを特徴とする請求項１９に記載のサーバシステム。
【請求項２１】
前記ＰＴサーバが、前記キューの先頭に置かれた要求を有する前記ＰＴクライアントのうちの１つに発言権を与えることを特徴とする請求項１９に記載のサーバシステム。
【請求項２２】
前記ＰＴサーバが、前記該当発言要求メッセージに対する応答としてＰＴクライアントに応答メッセージを送信することを特徴とする請求項１９に記載のサーバシステム。
【請求項２３】
前記応答メッセージは、発言要求キュー状態応答メッセージであることを特徴とする請求項２２に記載のサーバシステム。
【請求項２４】
前記ＰＴサーバが前記キューにおいて前記要求の位置を変更する場合、前記ＰＴサーバは、前記キューに置かれた要求を有する全てのＰＴクライアントに前記変更に関する通知を送ることを特徴とする請求項１９に記載のサーバシステム。
【請求項２５】
前記発言は、ビデオ、画像、信号、又はデータの伝送を含むことを特徴とする請求項１７に記載のサーバシステム。
【請求項２６】
前記発言は、音声データの伝送を含むことを特徴とする請求項１７に記載のサーバシステム。
【請求項２７】
前記ＰＴサーバは、前記発言要求メッセージ内の前記タイムスタンプ値が前記ＰＴサーバの現在時間よりある程度早い場合、前記発言要求メッセージを廃棄することを特徴とする請求項１７に記載のサーバシステム。
【請求項２８】
ＰＴクライアントが、発言権を要求するために、発言要求メッセージの送信に関する時間情報を含むタイムスタンプを有する前記発言要求メッセージを送信する段階を含むことを特徴とするＰＴサービス提供方法。
【請求項２９】
前記タイムスタンプ内の前記時間情報は、前記発言要求メッセージのユーザ要求時間を識別することを特徴とする請求項２８に記載のＰＴサービス提供方法。
【請求項３０】
前記ＰＴクライアントが前記発言要求メッセージに応答するＰＴサーバから発言承認メッセージを受信する段階と、
前記ＰＴクライアントが前記発言承認メッセージを受信すると、前記発言を行う段階とをさらに含むことを特徴とする請求項２８に記載のＰＴサービス提供方法。
【請求項３１】
前記送信段階で、前記ＰＴクライアントが前記発言要求メッセージを送信した後、所定時間間隔内に応答メッセージを受信できない場合、前記ＰＴクライアントはタイムスタンプを有する発言要求メッセージを再送信する段階をさらに含むことを特徴とする請求項２８に記載のＰＴサービス提供方法。
【請求項３２】
前記再送信された発言要求メッセージの前記タイムスタンプは、最初の発言要求メッセージの前記タイムスタンプと同一であることを特徴とする請求項３１に記載のＰＴサービス提供方法。
【請求項３３】
前記応答メッセージは、発言要求キュー状態応答メッセージであることを特徴とする請求項３１に記載のＰＴサービス提供方法。
【請求項３４】
前記タイムスタンプ値は、発言要求キューにおいて前記発言要求メッセージの位置を決定するために使用されることを特徴とする請求項２８に記載のＰＴサービス提供方法。
【請求項３５】
前記ＰＴクライアントの前記発言要求メッセージが前記発言要求キューの先頭に置かれる場合、前記ＰＴクライアントが発言権を有することを特徴とする請求項３４に記載のＰＴサービス提供方法。
【請求項３６】
前記発言は、ビデオ、画像、信号、又はデータの伝送を含むことを特徴とする請求項２８に記載のＰＴサービス提供方法。
【請求項３７】
前記発言は、音声データの伝送を含むことを特徴とする請求項２８に記載のＰＴサービス提供方法。
【請求項３８】
ＰＴサーバが、それぞれ発言権を要求する少なくとも１つの発言要求メッセージを受信する段階と、
前記ＰＴサーバが、前記少なくとも１つの発言要求メッセージを処理する段階とを含み、
前記少なくとも１つの発言要求メッセージは、前記該当発言要求メッセージの送信に関する時間情報を含むタイムスタンプをそれぞれ有することを特徴とするＰＴサービス提供方法。
【請求項３９】
前記タイムスタンプ内の前記時間情報は、前記該当発言要求メッセージのユーザ要求時間を識別することを特徴とする請求項３８に記載のＰＴサービス提供方法。
【請求項４０】
前記受信段階で、前記ＰＴサーバが複数の異なるＰＴクライアントからそれぞれ複数の発言要求メッセージを受信し、
前記処理段階は、前記受信された発言要求メッセージ内の前記タイムスタンプの値に応じて前記受信された発言要求メッセージの要求をキューに置く段階を含むことを特徴とする請求項３８に記載のＰＴサービス提供方法。
【請求項４１】
前記ＰＴサーバが、前記キューにおける前記ＰＴクライアントの要求の位置による特定の順序で前記ＰＴクライアントに発言権を与えることを特徴とする請求項４０に記載のＰＴサービス提供方法。
【請求項４２】
前記処理段階で、前記ＰＴサーバが、前記キューの先頭に置かれた要求を有する前記ＰＴクライアントのうちの１つに発言権を与えることを特徴とする請求項４０に記載のＰＴサービス提供方法。
【請求項４３】
前記ＰＴサーバが前記該当発言要求メッセージに対する応答としてそれぞれの前記ＰＴクライアントに応答メッセージを送信する段階をさらに含むことを特徴とする請求項４０に記載のＰＴサービス提供方法。
【請求項４４】
前記応答メッセージは、発言要求キュー状態応答メッセージであることを特徴とする請求項４３に記載のＰＴサービス提供方法。
【請求項４５】
前記ＰＴサーバが前記キューにおいて前記要求の位置を変更する場合、前記ＰＴサーバが、前記キューに置かれた前記ＰＴクライアントの要求を有する全てのＰＴクライアントに前記変更に関する通知を送る段階をさらに含むことを特徴とする請求項４０に記載のＰＴサービス提供方法。
【請求項４６】
前記発言は、ビデオ、画像、信号、又はデータの伝送を含むことを特徴とする請求項３８に記載のＰＴサービス提供方法。
【請求項４７】
前記発言は、音声データの伝送を含むことを特徴とする請求項３８に記載のＰＴサービス提供方法。
【請求項４８】
前記処理段階は、
前記発言要求メッセージの前記タイムスタンプ値が前記ＰＴサーバの現在時間よりある程度早い場合、前記ＰＴサーバが前記発言要求メッセージを廃棄する段階を含むことを特徴とする請求項３８に記載のＰＴサービス提供方法。
【請求項４９】
それぞれのＰＴクライアントがタイムスタンプを含む発言要求メッセージを送信する段階と、
ＰＴサーバが少なくとも前記タイムスタンプに基づいて前記ＰＴクライアントの発言要求キュー位置を決定する段階と
を含むことを特徴とするＰＴサーバと複数のＰＴクライアントを含むシステムのＰＴサービス方法。
【請求項５０】
それぞれの前記タイムスタンプは、前記該当発言要求メッセージの送信に関する時間情報を含むことを特徴とする請求項４９に記載のＰＴサーバと複数のＰＴクライアントを含むシステムのＰＴサービス方法。
【請求項５１】
前記１つのＰＴクライアントが、前記送信段階で前記発言要求メッセージを送信した後、所定時間間隔内に応答メッセージを受信することができない場合、前記ＰＴクライアントのうちの１つがタイムスタンプを有する発言要求メッセージを再送信する段階をさらに含むことを特徴とする請求項４９に記載のＰＴサーバと複数のＰＴクライアントを含むシステムのＰＴサービス方法。
【請求項５２】
前記再送信段階で、前記再送信された発言要求メッセージの前記タイムスタンプは、前記送信段階で送信された前記発言要求メッセージの前記タイムスタンプと同一であることを特徴とする請求項５１に記載のＰＴサーバと複数のＰＴクライアントを含むシステムのＰＴサービス方法。
【請求項５３】
前記決定段階は、
前記ＰＴサーバが、前記受信された発言要求メッセージ内の前記タイムスタンプの値に応じて前記受信された発言要求メッセージの要求を発言要求メッセージキューに置く段階を含むことを特徴とする請求項４９に記載のＰＴサーバと複数のＰＴクライアントを含むシステムのＰＴサービス方法。
【請求項５４】
前記ＰＴサーバが、前記キューにおける前記ＰＴクライアントの要求位置による特定の順序で前記ＰＴクライアントに発言権を与えることを特徴とする請求項５３に記載のＰＴサーバと複数のＰＴクライアントを含むシステムのＰＴサービス方法。
【請求項５５】
前記ＰＴサーバが、前記発言要求キューの先頭に置かれた要求を有する前記ＰＴクライアントのうちの１つに発言権を与えることを特徴とする請求項５３に記載のＰＴサーバと複数のＰＴクライアントを含むシステムのＰＴサービス方法。
【請求項５６】
前記発言は、ビデオ、画像、信号、又はデータの伝送を含むことを特徴とする請求項４９に記載のＰＴサーバと複数のＰＴクライアントを含むシステムのＰＴサービス方法。
【請求項５７】
前記発言は、音声データの伝送を含むことを特徴とする請求項４９に記載のＰＴサーバと複数のＰＴクライアントを含むシステムのＰＴサービス方法。
【請求項５８】
前記発言要求メッセージの前記タイムスタンプ値が前記ＰＴサーバの現在時間よりある程度早い場合、前記ＰＴサーバが前記発言要求メッセージを廃棄することを特徴とする請求項４９に記載のＰＴサーバと複数のＰＴクライアントを含むシステムのＰＴサービス方法。
【発明の詳細な説明】
【技術分野】
【０００１】
本発明は、ＰＴサービス（push-to  service）に関し、特に、発言要求（talk  burst  request）メッセージの送信及び処理によりサービス品質を向上させるＰＴサービスシステム及び方法に関する。
【背景技術】
【０００２】
ＰＴサービスは、移動通信ネットワークのサービスプロバイダと消費者のための速い通信を提供するために開発されたものであり、１つのクライアントが、セッションを設定した少なくとも１つの他のクライアントにメディアデータ（発言）を伝送する通信サービスである。前記ＰＴサービスは、音声（オーディオ）データの伝送のためのＰＴＴ（Push  to  talk）サービス、動画像（ビデオ）データの伝送のためのＰＴＶ（Push  to  view）サービス、又はデータの伝送のためのＰＴＤ（Push  to  data）サービスなどを含み、単一受信者（1-to-1：1対１）との通信又はグループ対話セッションのような受信者グループ（1-to-many：１対多）間の通信を許可し、セッションを設定するためにセッション開始プロトコルを使用する。
【０００３】
ＰＴサービスシステムにおいて、ＰＴクライアント（例えば、ＰＴサービスをサポートするクライアント）がメディアデータ伝送を行おうとする場合、まず前記メディアデータを伝送できる権限／許可が必要である。すなわち、前記メディアデータの伝送を行おうとする前記ＰＴクライアントは、前記メディアデータ（発言）を実際に伝送する前に、発言要求（発言要求メッセージ）を関連ＰＴサーバに伝送する。このような発言要求メッセージの応答として、前記ＰＴサーバは、前記ＰＴクライアントに発言承認メッセージを送信する。ＰＴクライアントが現在発言を有することを示す前記発言承認メッセージを受信すると、前記ＰＴクライアントは、前記メディアデータを伝送して発言を行う。図１は、このような過程を説明する。
【０００４】
より具体的には、図１は、従来のＰＴサービスシステムの構造を示す。図１に示すように、このようなＰＴサービスシステムは、移動端末に含まれてＰＴサービスを呼び出す（ページングする）ＰＴクライアント２１、２２、２３、２４と、前記システムの各種機能を制御するＰＴサーバ１０とを含む。
【０００５】
例えば、第１〜第４ＰＴクライアント２１、２２、２３、２４が会議に参加した状況で、前記第１ＰＴクライアント２１が発言を取得し、前記第２ＰＴクライアント２２、第３ＰＴクライアント２３、及び第４ＰＴクライアント２４は前記第１ＰＴクライアント２１の発言を聴取している。
【０００６】
前記第１ＰＴクライアント２１が発言（例えば、音声、ビデオ、又はデータの伝送）を行う間、他のＰＴクライアント２２、２３、２４は、前記第１ＰＴクライアント２１の後の次の発言を取得するために前記ＰＴサーバ１０に発言要求メッセージを送信する。
【０００７】
ＰＴサーバ１０は、前記ＰＴクライアント２２、２３、２４から前記発言要求メッセージを受信すると、前記発言要求メッセージを受信順にキュー（Queue）に置き、前記キューに置かれた順に発言を承認する。すなわち、前記ＰＴサーバ１０が第２ＰＴクライアント２２、第３ＰＴクライアント２３、第４ＰＴクライアント２４の順に発言要求メッセージを受信すると、前記ＰＴサーバ１０は、その順に、すなわち、第２ＰＴクライアント２２、第３ＰＴクライアント２３、第４ＰＴクライアント２４の順に発言を与える。従来の発言要求メッセージは、時間情報を含んでいない。
【０００８】
前記発言要求メッセージは、リアルタイム処理のためにＲＴＣＰ（Real  Time  Transport  Control  Protocol）に基づくユーザデータグラムプロトコル（User  Datagram  Protocol：ＵＤＰ）により前記ＰＴサーバ１０に送信される。
【０００９】
すなわち、信頼できないＵＤＰを利用して前記発言要求メッセージを送信したり、前記ＰＴクライアントの移動によりハンドオフが発生した場合、前記ＰＴクライアントが送信した発言要求メッセージを紛失する可能性がある。この点において、従来のＰＴサービスシステムにはＰＴクライアントが送信した発言要求メッセージが紛失した場合に対する解決策が定義されていないので、発言要求メッセージが紛失した場合、クライアントのサービス信頼度及びユーザサービス品質が低下するという問題がある。
【００１０】
また、ＰＴクライアントにより送信された発言要求メッセージがネットワーク負荷によって遅延する場合、ＰＴサービスの信頼度も低下するという問題がある。
【発明の開示】
【発明が解決しようとする課題】
【００１１】
従って、本発明の目的は、ＰＴクライアントにより送信された発言要求メッセージが紛失した場合に備えて前記ＰＴクライアントの処理手順を明確に定義するＰＴサービスシステム及び方法を提供することにある。
【００１２】
本発明の他の目的は、ＰＴクライアントが送信する発言要求メッセージのフォーマットを定義するＰＴサービスシステム及び方法を提供することにある。
【００１３】
本発明のさらに他の目的は、タイムスタンプを含む発言要求メッセージを生成及び送信できるＰＴクライアントを有する移動端末を提供することにある。
【００１４】
本発明のさらに他の目的は、最初（original）の発言要求メッセージを送信した時点を示すタイムスタンプを含む発言要求メッセージを再送信できるＰＴクライアントを有する移動端末を提供することにある。
【００１５】
本発明のさらに他の目的は、受信された発言要求メッセージのタイムスタンプ値に応じて発言要求を発言要求キュー（talk  burst  request  queue）に置くことのできるＰＴサーバを提供することにある。
【００１６】
本発明のさらに他の目的は、前記従来の問題及び限界を克服する、移動端末、ＰＴサーバ、ＰＴシステム、及びＰＴサービスを提供するための方法を提供することにある。
【課題を解決するための手段】
【００１７】
このような目的を達成するために、本発明の一態様によるＰＴサービスシステムは、タイムスタンプを有する発言要求メッセージを送信するＰＴクライアントと、前記タイムスタンプに基づいて発言要求キュー位置を決定し、前記受信された発言要求メッセージに対する応答メッセージを前記該当ＰＴクライアントに送信するＰＴサーバとを含むことを特徴とする。
【００１８】
また、このような目的を達成するために、本発明の他の態様によるＰＴサービスシステムは、タイムスタンプを有する発言要求メッセージを送信し、所定時間内に前記発言要求メッセージに対する応答メッセージが受信されない場合、前記最初の発言要求メッセージのタイムスタンプを有する新しい発言要求メッセージを送信するＰＴクライアントを有する少なくとも１つの端末を含むことを特徴とする。
【００１９】
また、このような目的を達成するために、本発明の他の態様によるＰＴサービス方法は、ＰＴクライアントがタイムスタンプを有する発言要求メッセージを送信する段階と、所定時間内に前記発言要求メッセージに対する応答メッセージを受信する段階と、前記発言要求メッセージに対する応答メッセージが所定時間内に受信されない場合、前記タイムスタンプを有する新しい発言要求メッセージを再送信する段階とを含むことを特徴とする。
【００２０】
また、このような目的を達成するために、本発明の他の態様によるＰＴサービス方法は、ＰＴサーバがＰＴクライアントから発言要求メッセージを受信する段階と、前記発言要求メッセージのタイムスタンプ値に基づいて発言要求キュー位置を決定する段階と、前記発言要求メッセージに対する応答メッセージを前記ＰＴクライアントに送信する段階とをさらに含むことを特徴とする。
【００２１】
また、このような目的を達成するために、本発明の他の態様によるＰＴサービス方法は、少なくとも１つのＰＴクライアントから発言要求メッセージを受信する段階と、前記発言要求メッセージを受信したＰＴサーバが前記発言要求メッセージのタイムスタンプに応じて発言要求キューに前記該当発言要求を置く段階と、前記ＰＴサーバが前記発言要求メッセージに対する応答メッセージを送信する段階とをさらに含むことを特徴とする。
【００２２】
また、このような目的を達成するために、本発明の他の態様による特定ＰＴクライアントが発言を取得するシステムのＰＴサービス方法は、第１ＰＴクライアントがＰＴサーバに第１タイムスタンプを有する発言要求メッセージを送信する段階と、前記最初に送信された第１発言要求メッセージに対する応答メッセージが所定時間内に受信されない場合、前記第１ＰＴクライアントが前記ＰＴサーバに前記第１タイムスタンプを有する前記発言要求メッセージを再送信する段階と、第２ＰＴクライアントが第２タイムスタンプを有する発言要求メッセージを前記ＰＴサーバに送信する段階と、前記第２ＰＴクライアントが前記発言要求メッセージに対する応答メッセージを受信する段階と、前記第１ＰＴクライアントが前記再送信された発言要求メッセージに対する応答メッセージを受信する段階とを含むことを特徴とする。
【００２３】
また、このような目的を達成するために、本発明の他の態様によるクライアント装置は、発言権を要求する発言要求メッセージを送信するＰＴクライアントを含み、前記発言要求メッセージは、前記発言要求メッセージの送信に関する時間情報を含むタイムスタンプを有することを特徴とする。
【００２４】
本発明の他の態様によるクライアント装置は、発言権を要求する発言要求メッセージの送信を前記ＰＴクライアントが応答メッセージを受信するまで繰り返すＰＴクライアントを含み、前記繰り返し送信された発言要求メッセージは、前記発言メッセージが最初に送信された時間を通知するタイムスタンプ値を含むことを特徴とする。
【００２５】
本発明の他の態様によるサーバシステムは、それぞれ発言権を要求する少なくとも１つの発言要求メッセージを受信して処理するＰＴサーバを含み、前記少なくとも１つの発言要求メッセージは、それぞれ前記該当発言要求メッセージの送信に関する時間情報を含むタイムスタンプを有することを特徴とする。
【００２６】
本発明の他の態様によるＰＴサービス提供方法は、ＰＴクライアントが発言権を要求する発言要求メッセージを送信する段階を含み、前記発言要求メッセージは、前記発言要求メッセージの送信に関する時間情報を含むタイムスタンプを有することを特徴とする。
【００２７】
本発明の他の態様によるＰＴサービス提供方法は、ＰＴサーバがそれぞれ発言権を要求する少なくとも１つの発言要求メッセージを受信する段階と、前記ＰＴサーバが前記少なくとも１つの発言要求メッセージを処理する段階とを含み、前記少なくとも１つの発言要求メッセージは、前記該当発言要求メッセージの送信に関する時間情報を含むタイムスタンプを有することを特徴とする。
【００２８】
本発明の他の態様による、ＰＴサーバと複数のＰＴクライアントを含むシステムのＰＴサービス方法は、それぞれのＰＴクライアントがタイムスタンプを含む発言要求メッセージを送信する段階と、前記ＰＴサーバが少なくとも前記タイムスタンプに基づいて前記ＰＴクライアントの発言要求キュー位置を決定する段階とを含む。
【００２９】
本発明のさらなる長所及び利点は後述する発明の詳細な説明に一部が記述されており、一部は前記説明により明確になるか、又は、本発明の適用により理解されるであろう。本発明の目的と長所は、特に、請求の範囲に開示されたように実現及び達成される。
【発明の効果】
【００３０】
本発明による前記ＰＴサービスシステム及び方法は、多くの利点を有する。
【００３１】
本発明は、発言要求メッセージの送信に関するタイムスタンプ値を提供するためにタイムスタンプフィールドを含む発言要求メッセージを提供する。このような前記発言要求待機は、前記ＰＴサーバが前記発言要求メッセージを実際に受信した時点に基づいて行われるのではなく、発言要求メッセージの送信時間に基づいて行われる。結果的に、このような発言要求の待機は、送信エラーや他の問題を調節するために行われ、また、より正確に行なわれる。
【００３２】
また、本発明は、タイムスタンプを有する発言要求メッセージを提供するために既存の発言制御プロトコル（talk  burst  control  protocol：ＴＢＣＰ）フォーマットを利用するので、本発明の実現が容易であり、コスト効率が高い。
【００３３】
また、ＰＴクライアントは、伝送時間情報を含むＴＢＣＰを使用することにより発言要求メッセージを送信し、ＰＴサーバは、前記伝送時間に基づいて前記ＰＴクライアントの発言キュー位置を決定するため、前記発言要求メッセージを最初に送信したが、それに対する応答を受信していない前記ＰＴクライアントは、前記発言要求メッセージの最初の送信時間に基づいて発言権を取得できる。
【００３４】
また、ＰＴクライアントが送信する発言要求メッセージを送信中に紛失して再送信する場合、最初の発言要求メッセージの送信時間情報を発言要求メッセージに含んで再送信することにより、最初の発言要求メッセージの発言キュー位置割り当ては、送信時間に基づいて決定でき、ユーザサービス品質を向上できるという効果がある。
【００３５】
さらに、ＰＴクライアントが送信する発言要求メッセージの紛失に対するＰＴクライアントとＰＴサーバの処理手順を明確に定義することにより、サービス信頼度を向上できるという効果がある。
【発明を実施するための最良の形態】
【００３６】
以下、添付図面を参照して本発明の好ましい実施形態によるＰＴサービスシステム及び方法を説明する。
【００３７】
本発明は、ＰＴサービスシステムのＰＴクライアントが以前に送信した発言要求メッセージの紛失又は遅延に備えて、前記ＰＴクライアントは、タイムスタンプを含むＲＴＣＰアプリケーションパケットに基づいて発言要求メッセージを生成し、ＰＴサーバは、前記発言要求メッセージに含まれる前記タイムスタンプに基づいて前記発言要求を発言要求キューに置く。この場合、前記タイムスタンプは、前記ＰＴクライアントが前記発言要求メッセージを送信した時間、例えば、ユーザがユーザの端末の発言ボタンを押した時間を識別する時間情報を含む。
【００３８】
本発明の実施形態により、前記ＰＴクライアントが何らかの理由で前記最初の発言要求メッセージに対する応答メッセージを所定時間内に前記ＰＴサーバから受信できない場合、前記ＰＴクライアントは、前記ＰＴサーバから応答メッセージを受信するまで前記発言要求メッセージの送信を繰り返す。ここで、繰り返し送信される発言要求メッセージは、前記最初の発言要求メッセージのタイムスタンプを含むので、前記最初の発言要求メッセージがいつ送信されたかを知らせる。前記ＰＴサーバが前記最初の発言要求メッセージのタイムスタンプを有する前記繰り返し送信された発言要求メッセージを受信した場合、前記ＰＴサーバは、前記最初の発言要求メッセージのタイムスタンプ値に応じてＰＴクライアントの発言要求を前記発言要求キューに置く。このような方式において、前記ＰＴクライアントの発言要求は、ＰＴクライアントの発言要求メッセージにより提供されるタイムスタンプ値に応じて発言要求キューに置かれる。前記キューの先頭にあるＰＴクライアントが現在の発言権を有する。
【００３９】
本発明の実施形態により、前記発言要求メッセージのタイムスタンプ値が前記ＰＴサーバの現在時間より非常に早い場合、前記ＰＴサーバは、前記発言要求メッセージを廃棄できる。すなわち、前記ＰＴサーバは、現在のＰＴクライアントが次のＰＴクライアントに発言を渡すまでの周期内に到着する発言要求メッセージをキューに置き、前記周期前の発言要求メッセージは廃棄する。
【００４０】
図２は、本発明の実施形態による変形したＲＴＣＰアプリケーションパケットのフォーマットを示す図であり、すなわち、発言制御プロトコル（ＴＢＣＰ）メッセージのフォーマットである。前記発言制御プロトコルメッセージは、ＲＴＣＰアプリケーションパケットフォーマットに基づき、本例では、本発明によるＴＢＣＰ発言要求メッセージを示す。
【００４１】
図２に示すように、前記ＲＴＣＰアプリケーションパケットは、２ビット（Ｖ＝２）でバージョンを定義するフィールド５０と、パディングオクテット（padding  octet）を含むか否か（例えば、Ｐは、含まれたパディングを示す）を定義するフィールド５２と、前記ＲＴＣＰアプリケーションを定義する（例えば、ＰＴ＝ＡＰＰ＝２０４）パケットタイプフィールド５６と、前記アプリケーションの詳細条件を定義するサブタイプフィールド５４と、前記ＲＴＣＰアプリケーションの長さを定義する長さフィールド５８と、ＳＳＲＣ（Synchronization）フィールド６０と、ＡＳＣＩＩにより定義されるアプリケーションネームフィールド６２と、少なくとも１つのオプションフィールド６４とを含む。各オプションフィールドは、図示されたように、サブフィールドを含む。前記フィールド５０〜６２は、周知のフィールドである。本発明の実施形態により、１つのオプションフィールド６４は、タイムスタンプフィールド６６として指定される。
【００４２】
前記ＲＴＣＰアプリケーションパケットを発言要求メッセージとして定義するために、図示されたように、前記パケットタイプフィールド５６が「２０４」の値を有し、前記サブタイプフィールド５４が「０００００」の値を有する。すなわち、前記パケットタイプフィールド５６の「２０４」は、前記ＴＢＣＰメッセージを定義し、前記サブタイプフィールド５４の「０００００」は、前記ＴＢＣＰメッセージが発言要求メッセージであることを示す。
【００４３】
前記タイムスタンプフィールド６６は、前記発言要求メッセージが前記ＰＴサーバに送信された時点、例えば、前記ユーザが前記発言権を要求した時点を確認するためのフィールドである。前記ＰＴクライアントが発言要求メッセージを繰り返し送信する場合（例えば、前記ＰＴクライアントが以前に送信された発言要求メッセージに対する応答をＰＴサーバから受信していないため）、このように繰り返し送信された発言要求メッセージのタイムスタンプ値は、前記ＰＴクライアントが第１／最初（first/original）の発言要求メッセージを送信した時点を示す。この場合、前記タイムスタンプフィールド６６内のタイムスタンプ値は、年、日、時、分、及び秒を示す「２００４年、１２月１０日、１３:３０:２２」のような形態で前記発言要求メッセージのユーザ要求時点を確認できるか、又は、２進値又はビットで表現できる。本発明は、このようなタイムスタンプの他の形態も含む。
【００４４】
図３は、本発明の実施形態によるＰＴサービスシステムの構成を示す図である。図３に示すように、ＰＴサービスシステムは、移動端末にインストールされてＰＴサービスを呼び出す（ページングする、要求する）ＰＴクライアント２１０〜２４０と、各種ＰＴ機能を制御するＰＴサーバ１００とから構成される。携帯電話、ＰＤＡなどの各移動端末は、他のアプリケーションや機能を提供する少なくとも１つのクライアントを含み、前記ＰＴサービスシステムの各構成要素は、能動的に（operatively）接続されている。
【００４５】
前記ＰＴサービスをサポートする前記移動端末は、前記発言要求メッセージにタイムスタンプ値を加えて前記ＰＴサーバ１００に伝送するように構成されている。ここで、前記タイムスタンプ値とタイムスタンプフィールド（例えば、図２の６６）の生成は、前記移動端末にタイムスタンプ管理モジュールをインストールすることで管理できるか、ソフトウェア的に実現できる。ここで、前記発言要求メッセージの前記タイムスタンプフィールド内のタイムスタンプは、前記発言要求メッセージを送信した時点、例えば、前記ユーザが移動端末のボタンを押すことにより前記発言を要求した時点を含む。
【００４６】
前記ＰＴクライアント２２０により送信された発言要求メッセージが紛失又は遅延して所定時間間隔（duration）内にＰＴサーバ１００から応答メッセージが受信されない場合、前記ＰＴクライアント２２０は、前記発言要求メッセージを再送信する。ここで、前記再送信された発言要求メッセージのタイムスタンプ値は、前記最初の発言要求メッセージのタイムスタンプの値である。すなわち、前記再送信された発言要求メッセージのタイムスタンプの値は、発言要求メッセージを再送信する現在時点でなく、前記紛失した発言要求メッセージに含まれていた最初（initial）の伝送時点を示す。前記発言要求メッセージの再送信において、前記最初の発言要求メッセージのタイムスタンプを含む新しい発言要求メッセージが生成されるか、前記最初のタイムスタンプを有する前記最初の発言要求メッセージが再送信される。
【００４７】
前記ＰＴサーバ１００は、前記発言要求メッセージに対する応答メッセージを前記ＰＴクライアント２２０〜２４０に送信し、前記発言要求メッセージに含まれる各送信時間の順に次の発言の割り当て順序を決定する。
【００４８】
より具体的には、特定ＰＴクライアントに発言を割り当てた前記ＰＴサーバ１００が他のＰＴクライアントから発言要求メッセージを受信した場合、前記ＰＴサーバ１００は、前記受信された発言要求メッセージ内のタイムスタンプ値を用いて前記発言要求キューにおいて前記受信された発言要求メッセージの位置を決定する。すなわち、発言要求メッセージを送信したＰＴクライアントのうち最も早い発言要求時間を有するＰＴクライアントが、発言要求メッセージのタイムスタンプに応じて前記発言要求キューの最上位に置かれ、前記キューの最上位に置かれた前記ＰＴクライアントが現在の発言（メディアデータ）権を有する。
【００４９】
本発明の実施形態により、予め設定された優先順位レベルがそれぞれ割り当てられた複数の発言要求キューが存在する。前記発言要求タイムスタンプは、予め設定された同一の優先順位レベルを有する前記キュー内で発言要求メッセージの位置を指示する。すなわち、予め設定された同一の優先順位レベルを有する前記発言要求メッセージのうち、このような要求は、前記発言要求メッセージ内の発言要求タイムスタンプによって（前記予め設定された優先順位レベルに割り当てられた）キューにおいて異なる位置に割り当てることができる。
【００５０】
本発明の実施形態により、各ＰＴクライアントは、発言要求メッセージが発言要求タイムスタンプを含んでいるか、今後含むことを示す情報を伝送する。この情報を検討することにより、前記ＰＴサーバは、前記発言要求メッセージを適切に処理する。
【００５１】
以下、図２及び図３を参照して本発明の実施形態によるＰＴサービスシステムの動作を説明する。
【００５２】
この例において、前記第１〜第４クライアント２１０、２２０、２３０、２４０が会議に参加した状況、すなわち、クライアント間にセッションが設定された状況で、前記第１ＰＴクライアント２１０は発言を行い（例えば、ユーザがユーザの移動端末で通話をしたり、ユーザの移動端末からビデオストリームやデータを伝送するなど）、前記第２〜第４ＰＴクライアント２２０、２３０、２４０は、前記第１ＰＴクライアント２１０の発言を聴取する（又は、第１ＰＴクライアント２１０から伝送された情報を受信する）と仮定する。
【００５３】
前記第１ＰＴクライアント２１０が前記発言を行う間、他のＰＴクライアント２２０、２３０、２４０は、それぞれ前記第１ＰＴクライアント２１０の後の次の発言を取得するために前記ＰＴサーバ１００に発言要求メッセージを送信する。この場合、各発言要求メッセージは、発言要求タイムスタンプを含むが、例えば、前記発言要求メッセージは、図２に示すＲＴＣＰアプリケーションパケットの形態でよいので、前記発言要求タイムスタンプを含む前記タイムスタンプフィールド６６を含む。
【００５４】
前記第２ＰＴクライアント２２０の発言要求メッセージは第１タイムスタンプを含み、前記第３ＰＴクライアント２３０の発言要求メッセージは第２タイムスタンプを含み、前記第４ＰＴクライアント２４０の発言要求メッセージは第３タイムスタンプを含む。前記第１〜第３タイムスタンプは、各ＰＴクライアントが送信した発言要求メッセージの送信時間を含み、この例では、第１〜第３タイムスタンプが最も早いデータ／時間から最も遅いデータ／時間までの送信時間値を順に有すると仮定する。すなわち、前記第１タイムスタンプは、第２タイムスタンプより早い送信時間値を有し、前記第２タイムスタンプは、第３タイムスタンプより早い送信時間値を有する。この場合、送信時間の値は、「２００４年１２月１０日、１３:３０:２２」の形態で表現するか、又は、２進値もしくはビットとして保存することができる。
【００５５】
前記第３ＰＴクライアント２３０及び第４ＰＴクライアン２４０の発言要求メッセージを受信したＰＴサーバ１００は、前記受信された発言要求メッセージ内の前記発言要求タイムスタンプ値に応じて前記要求を発言要求キューに入れ、前記第３及び第４ＰＴクライアントにそれぞれ前記発言要求メッセージに対する応答メッセージを送信する。ここで、前記発言要求メッセージに対する応答メッセージは、発言要求キュー位置状態メッセージである。
【００５６】
前記ＰＴサーバ１００は、発言要求が待機中であるか、発言要求状態が変更されたことを通知するために、全体又は一部のＰＴクライアント２１０、２２０、２３０、２４０に前記発言要求キュー位置状態メッセージを送信する。
【００５７】
前記ＰＴサーバ１００に発言要求メッセージ（最初の発言要求メッセージ）を既に送信したが、何らかの理由で前記第２ＰＴクライアント２２０が前記ＰＴサーバ１００から応答メッセージを受信できなかったと仮定する。前記ＰＴサーバ１００から前記応答メッセージを受信していない第２ＰＴクライアント２２０は、前記最初の発言要求メッセージが送信中に紛失したと判断し、前記発言要求メッセージを再送信する。ここで、前記再送信された発言要求メッセージは、最初の発言要求メッセージの送信時間値である前記第１タイムスタンプを含む。
【００５８】
前記ＰＴサーバ１００が前記第２クライアント２２０から再送信された発言要求メッセージを受信すると、前記ＰＴサーバ１００は、前記受信された発言要求メッセージに対する応答として発言要求キュー位置状態メッセージを第２ＰＴクライアント２２０に送信する。
【００５９】
前記ＰＴサーバ１００は、前記ＰＴクライアント２２０、２３０、２４０から送信された前記発言要求メッセージの前記タイムスタンプ値のうち最も早いタイムスタンプを有するＰＴクライアントに発言権を与える。すなわち、前記ＰＴサーバ１００は、発言要求メッセージのタイムスタンプ値に応じて前記受信された発言要求メッセージを発言要求キューに置く。例えば、他のＰＴクライアントより早い発言要求タイムスタンプ値を有する特定ＰＴクライアントの発言要求は、他のＰＴクライアントの発言要求より先にキューに置かれるので、前記他のクライアントは、前記特定ＰＴクライアントの後に発言を得る。
【００６０】
このようなキュー位置割り当ては、現在発言を有するＰＴクライアントが次のＰＴクライアントに発言を渡すまでの周期内に有効である。この過程で、ＰＴサーバが受信した発言要求メッセージのタイムスタンプ値が前記ＰＴサーバにおいて現在時間より非常に早い場合、前記ＰＴサーバは、このような発言要求メッセージを廃棄できる。例えば、前記ＰＴサーバにおいて現在時間より非常に早い発言要求タイムスタンプ値を有する再送信された発言要求メッセージを前記ＰＴサーバが受信した場合、前記ＰＴサーバは、このような再送信された発言要求メッセージを無視して廃棄する。
【００６１】
図４は、本発明の実施形態によるＰＴサービス方法を示すフローチャートである。前記方法は、図３のＰＴサービスシステム又は他の適した装置もしくはシステムにおいて実現される。
【００６２】
図４に示すように、前記ＰＴクライアントは、送信時間情報（発言要求タイムスタンプ）を含む発言要求メッセージをＰＴサーバに送信する（Ｓ１１）。この場合、前記ＰＴクライアントは、図２に示すように、ＴＢＣＰ（発言制御プロトコル）フォーマットの形態で前記発言要求メッセージを送信し、前記タイムスタンプフィールド６６に前記発言要求メッセージの現在送信時間を入力する。前記送信時間は、「２００４年１２月１０日、１３:３０:２２」の形態で表現するか、又は、２進値もしくはビットとして表現できる。
【００６３】
前記ＰＴサーバは、前記発言要求メッセージを受信し、前記受信された発言要求タイムスタンプに含まれる送信時間及び他のクライアントからの既存の発言要求タイムスタンプに応じて前記発言要求キューの特定キュー位置に前記要求を置き、前記発言要求メッセージに対する応答メッセージを前記ＰＴクライアントに送信する（Ｓ１２）。ここで、前記応答メッセージは、発言要求キュー位置状態メッセージであり、前記発言要求タイムスタンプ値が早いほど前記発言要求のキュー位置も高くなり、これは、より速い発言を意味する。他の変形も可能である。
【００６４】
前記発言要求メッセージを送信したＰＴクライアントは、所定時間内に応答メッセージが受信されたか否かを確認する（Ｓ１３）。ここで、前記段階（Ｓ１２）で、前記ＰＴサーバが送信エラーなどによりＰＴクライアントから前記最初の発言要求メッセージを受信していない場合、ＰＴサーバは、前記ＰＴＯサーバから発言要求応答を全く生成しない。
【００６５】
設定時間間隔内に応答メッセージを受信すると（段階（Ｓ１３）の「ＹＥＳ」）、前記ＰＴクライアントは、前記発言要求メッセージが前記ＰＴサーバにより受信されたことを認知し、実際に具体的な発言権を受信するまで待機する。
【００６６】
しかしながら、ＰＴサーバから応答メッセージが前記所定時間間隔内に受信されないと（段階１３の「ＮＯ」）、前記ＰＴクライアントは、前記最初の発言要求メッセージが送信中に紛失又は遅延したと判断し、前記発言要求メッセージを再送信する（Ｓ１５）。ここで、前記再送信された発言要求メッセージのタイムスタンプフィールドに入力される値は、現在送信時間でなく前記最初（initial）の発言要求メッセージ（すなわち、紛失した最初の発言要求メッセージ）に含まれる送信時間である。
【００６７】
前記ＰＴサーバが前記再送信された発言要求メッセージを受信すると、前記ＰＴサーバは、前記再送信された発言要求メッセージのタイムスタンプに含まれている送信時間に基づいて前記要求を発言要求キューの特定キュー位置に置き、前記再送信された発言要求メッセージに対する応答メッセージを該当ＰＴクライアントに送信する（Ｓ１２）。ここで、前記ＰＴクライアントの前記発言要求タイムスタンプの値が他のＰＴクライアントのタイムスタンプ値より早い場合、発言要求キューにおいてＰＴクライアントの全ての発言要求のうちより高い／速い発言権（talk  burst  authority）を有する。また、前記ＰＴサーバは、発言要求キューの状態が変更された場合、セッションのために設定された全てのＰＴクライアントに前記発言要求キュー位置状態メッセージを送信し、発言要求キュー位置によって前記ＰＴクライアントに与えられた発言の順序が変動したことを通知できる。
【００６８】
図５は、本発明の実施形態によるＰＴサービス方法の信号フローチャートである。ここで、ＰＴサービスシステムは、相互能動的に接続された複数のＰＴクライアント３００、３２０、３４０と、このＰＴクライアントとそれぞれ関連した複数のＰＴサーバ３１０、３３０、３５０と、別途のＰＴサーバ３６０とを含む。この例において、１つのＰＴサーバ（第４ＰＴサーバ３６０）は、セッションが設定された非関連ＰＴクライアント（第１〜第３クライアント３００、３２０、３４０）のＰＴ動作を制御するための制御ＰＴ機能を有する。それぞれの第１〜第３クライアント３００、３２０、３４０は、参加ＰＴ機能を有するＰＴサーバを有する（第１〜第３ＰＴサーバ３１０、３３０、３５０）。
【００６９】
まず、第２ＰＴ３２０は、前記発言を取得して現在前記発言を実行中であり、前記第４ＰＴサーバ３６０は、ＰＴサービスシステムを制御すると仮定する（すなわち、前記第４ＰＴサーバは制御ＰＴ機能を有し、発言要求キューで待機（queuing）しながら発言制御をサポートする）。
【００７０】
前記第４ＰＴサーバ３６０は、前記第２ＰＴクライアント３２０が送信する発言要求メッセージをセッションが設定された第１ＰＴクライアント３００及び第３ＰＴクライアント３４０に送信する（Ｓ２１）。ここで、前記第４ＰＴサーバ３６０が送信する前記メディアメッセージは、前記第１ＰＴサーバ３１０と第３ＰＴサーバ３５０を介して第１ＰＴクライアント３００と第３ＰＴクライアント３４０に送信される。
【００７１】
前記第２ＰＴクライアント３２０が発言を有する間（すなわち、前記第２ＰＴクライアントが発言権を有するとき）、前記第１ＰＴクライアント３００が次の発言権を取得するために前記第４ＰＴサーバ３６０に発言要求メッセージを送信する（Ｓ２２）。ここで、前記第１ＰＴクライアント３００は、発言要求メッセージの発言要求タイムスタンプフィールドに現在の送信時間を含む。
【００７２】
前記発言要求メッセージを送信した後、所定時間内に発言要求キュー位置状態メッセージが受信されなかった場合、前記第１ＰＴクライアント３００は、前記最初の発言要求メッセージが送信中に紛失したと判断して前記第４ＰＴサーバ３６０に前記発言要求メッセージを再送信する（Ｓ２３）。ここで、前記第１ＰＴクライアント３００は、前記紛失した（最初の）発言要求メッセージに含まれていた送信時間と同一の送信時間を前記再送信する発言要求メッセージに挿入して送信する。すなわち、前記ＰＴクライアントが前記ＰＴサーバから発言要求キュー位置状態メッセージを受信するまで発言要求メッセージを繰り返し送信する場合、前記発言要求メッセージは、前記最初の発言要求メッセージの送信時間を示すタイムスタンプを含む。
【００７３】
前記第１ＰＴクライアント３００が発言要求メッセージを送信した後、発言要求キュー位置状態メッセージを受信していない状態で、前記第３ＰＴクライアント３４０が発言権を取得するために前記第４ＰＴサーバ３６０に発言要求メッセージを送信する（Ｓ２４）。前記第３ＰＴクライアント３４０の発言要求メッセージは、前記第３ＰＴサーバ３５０を介して前記第４ＰＴサーバ３６０に送信されるが、この場合、該当発言要求メッセージが送信される実際の送信時間を含む。ここで、前記送信時間は、「２００４年１２月１０日、１３:３０:２２」などの形態で保存するか、又は、２進値もしくはビットとして保存することができる。
【００７４】
前記第３ＰＴクライアント３４０から発言要求メッセージを受信した第４ＰＴサーバ３６０は、該当発言要求を前記タイムスタンプ値に応じて前記発言要求キューに置き、発言要求キュー位置状態メッセージを前記第３ＰＴクライアント３４０に送信する（Ｓ２５）。ここで、前記発言要求キュー位置状態メッセージは、前記第３ＰＴクライアント３４０に該当要求のキュー位置又は状態を通知するメッセージである。
【００７５】
それに対して、所定時間内に前記発言要求キュー位置状態メッセージを受信していない前記第１ＰＴクライアント３００は、前記発言要求メッセージを前記第４ＰＴサーバ３６０に再送信する（Ｓ２６）。ここで、前記再送信される発言要求メッセージは、最初の発言要求メッセージを送信した時間を示すタイムスタンプ値を含む。
【００７６】
前記第１ＰＴクライアント３００から前記発言要求メッセージを受信した第４ＰＴサーバ３６０は、該当要求を前記受信された発言要求タイムスタンプ値に応じて前記発言要求キューに置く。
【００７７】
前記第１ＰＴクライアント３００の発言要求タイムスタンプ値が第３ＰＴクライアント３４０の発言要求タイムスタンプ値より早い場合、前記第４ＰＴサーバ３６０が前記第１ＰＴクライアント３００に前記第３ＰＴクライアント３４０より高い優先順位（早いキュー位置）を与え、前記第１ＰＴクライアント３００に発言キュー位置状態メッセージを送信する（Ｓ２７）。また、前記第４ＰＴサーバ３６０は、変更されたキュー位置を含む発言要求キュー位置状態メッセージを前記第３ＰＴクライアント３４０にさらに送信できる（Ｓ２８）。
【００７８】
前記第４ＰＴサーバ３６０は、前記第２ＰＴクライアント３２０の発言が解除されると、最も早い発言要求伝送時間を有するＰＴクライアントに発言権を与える。ここで、前記第４ＰＴサーバ３６０は、（前記キューの先頭で）最も早い発言要求タイムスタンプ値を有する第１ＰＴクライアント３００に発言承認メッセージを送信し、前記第２ＰＴクライアント３２０と第３ＰＴクライアント３４０に発言占有メッセージ（talk  burst  taken  message）を送信する。
【００７９】
前記第２ＰＴクライアント３２０から次のＰＴクライアントに発言が渡された場合、前記第４ＰＴサーバ３６０は、前記該当発言要求キューを初期化する。最近受信した発言要求メッセージに含まれるあるタイムスタンプ値が以前周期に該当する値である場合（例えば、前記受信されたタイムスタンプ値が前記第４ＰＴサーバ３６０において現在時間より非常に早い場合）、前記第４ＰＴサーバ３６０は、該当発言要求メッセージを廃棄する。
【００８０】
本発明は、前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば多様な変更、変形、及び均等な他の実施例が可能であることを理解できるであろう。請求項において、ミーンズプラスファンクションクレームは列挙された機能を実行するものであり、ここに記載された構造、構造的同等物だけでなく均等な構造をも含む。
【図面の簡単な説明】
【００８１】
発明の理解を容易にするために添付され、本明細書の一部を構成する図面は、発明の多様な実施形態を示し、明細書と共に発明の原理を説明するためのものである。
【図１】従来のＰＴサービスシステムの構成を示す図である。
【図２】本発明の実施形態による発言要求メッセージのフォーマットを示す図である。
【図３】本発明の実施形態によるＰＴサービスシステムの構成を示す図である。
【図４】本発明の実施形態によるＰＴサービス方法を示すフローチャートである。
【図５】本発明の実施形態によるＰＴサービス方法の信号フローチャートである。
【図１】
2008507889.tif 000003
【図２】
2008507889.tif 000004
【図３】
2008507889.tif 000005
【図４】
2008507889.tif 000006
【図５】
2008507889.tif 000007
【国際調査報告】
2008507889.tif 000008
2008507889.tif 000009